(57)【要約】【課題】  未使用時には平板状にして嵩張らず、容易に組立て及び分解をすることができる組立式箱の提供。【解決手段】  多角形の底板１２と、底板１２の周囲を囲む周壁１３とを備えてなる組立式箱１０において、周壁１３は、互いに連続した複数の側板１５，１５…をもって構成され、隣り合う側板１５，１５間に架け渡され、隣り合う側板１５，１５を折り目より互いに折り曲げることにより周壁１３の内側に突出する底板支持片２５，２５を備え、各側板１５のいずれかと底板１２のいずれか一辺とを連結片２９をもって連結し、底板１２及び連結片２９を側板側に折り畳み、全体形状を平板状となし、隣り合う各側板１５，１５を互いに所定の角度で折り曲げ、多角形筒状の周壁１３を構成するとともに、底板１２を折り目より筒底側に折り曲げて、底板１２の下面を底板支持片２５，２５…に支持させ、箱状に組立てられるようにした。【選択図】  図３
2005313903.tif 000002
【特許請求の範囲】
【請求項１】
多角形の底板と、該底板の周囲を囲む周壁とを備えてなる組立式箱において、
前記周壁は、互いに折り目を介して連続した複数の側板をもって構成され、隣り合う側板間に架け渡され、該隣り合う側板を折り目より互いに折り曲げることにより前記周壁の内側に突出する底板支持片を備え、
前記各側板のいずれかと前記底板のいずれか一辺とを連結片をもって連結し、
前記底板及び連結片を側板側に折り畳み、全体形状を平板状となし、
隣り合う各側板を互いに所定の角度で折り曲げ、多角形筒状の周壁を構成するとともに、前記底板を折り目より筒底側に折り曲げて、前記底板の下面を前記底板支持片に支持させ、箱状に組立てられるようにしたことを特徴としてなる組立式箱。
【請求項２】
底板支持片は、一方の端部を隣り合う側板間の折り目を跨いで配置するとともに、他方の端部に折り目を設けることにより、前記側板と平行な枠状をなすように周壁内側に突出するようにした請求項１に記載の組立式箱。
【請求項３】
底板支持片は、側板の下縁と平行な切れ目を入れることにより形成された請求項１又は２に記載の組立式箱。
【請求項４】
底板の各辺縁に一体に形成され、底板支持片と側板との間に挿入される挿入片を備えた請求項１、２又は３に記載の組立式箱。
【請求項５】
側板は、折り目を介して連続した複数の外側板と、該外側板と折り目又は一定幅を有する上縁板を介して一体に形成された内側板とをもって構成され、前記内側板を折り目又は上縁板両側縁より折り曲げて前記外側板に重ねあわせてなる請求項１〜３又は４に記載の組立式箱。
【発明の詳細な説明】
【技術分野】
【０００１】
本発明は、主に果物や菓子等を梱包する際に使用される組立式箱に関する。
【背景技術】
【０００２】
従来、果物や菓子等の包装には、購買意欲を高めるために、一般的な直方体状の箱の他、色々な形状の箱、例えば、底板の形状が六角形、八角形等の多角形状をした箱が使用されている。
【発明の開示】
【発明が解決しようとする課題】
【０００３】
しかし、上述の如き従来の多角形の箱は、構造上、使用現場で容易に組立てることができず、箱の製造工場等の使用現場とは異なるの場所で組立てられ、その組立てられた状態で使用現場に届けられるのが一般的であり、組立工場等から使用現場へ運搬する際や使用現場で保管する際など嵩張ってしまい不便であるという問題があった。
【０００４】
一方、上述の如き従来の組立式箱は、使用後に分解する際に容易に分解することができず、作業が煩わしいという問題があった。
【０００５】
そこで本発明は、上述の従来技術の問題を鑑み、未使用時には平板状にして嵩張らず、容易に組立て及び分解をすることができる組立式箱の提供を目的とする。
【課題を解決するための手段】
【０００６】
上述の如き従来の問題を解決し、所期の目的を達成するための請求項１に記載の発明は、多角形の底板と、該底板の周囲を囲む周壁とを備えてなる組立式箱において、
前記周壁は、互いに折り目を介して連続した複数の側板をもって構成され、隣り合う側板間に架け渡され、該隣り合う側板を折り目より互いに折り曲げることにより前記周壁の内側に突出する底板支持片を備え、前記各側板のいずれかと前記底板のいずれか一辺とを連結片をもって連結し、前記底板及び連結片を側板側に折り畳み、全体形状を平板状となし、隣り合う各側板を互いに所定の角度で折り曲げ、多角形筒状の周壁を構成するとともに、前記底板を折り目より筒底側に折り曲げて、前記底板の下面を前記底板支持片に支持させ、箱状に組立てられるようにした組立式箱であることを特徴とする。
【０００７】
請求項２に記載の発明は、請求項１の構成に加え、底板支持片は、一方の端部を隣り合う側板間の折り目を跨いで配置するとともに、他方の端部に折り目を設けることにより、前記側板と平行な枠状をなすように周壁内側に突出するようにしたことを特徴とする。
【０００８】
請求項３に記載の発明は、請求項１又は２の構成に加え、底板支持片は、側板の下縁と平行な切れ目を入れることにより形成されたことを特徴とする。
【０００９】
請求項４に記載の発明は、請求項１、２又は３の構成に加え、底板の各辺縁に一体に形成され、底板支持片と側板との間に挿入される挿入片を備えたことを特徴とする。
【００１０】
請求項５に記載の発明は、請求項１〜３又は４の構成に加え、側板は、折り目を介して連続した複数の外側板と、該外側板と折り目又は一定幅を有する上縁板を介して一体に形成された内側板とをもって構成され、前記内側板を折り目又は上縁板両側縁より折り曲げて前記外側板に重ねあわせてなることを特徴とする。
【発明の効果】
【００１１】
本発明に係る組立式箱は、未使用時は平板状に折り畳まれて邪魔にならずに効率良く運搬や保管をすることができ、使用時には、容易に組立てることができ作業効率がよい。更に、使用後は容易に解体することができ、箱を解体する際の煩わしさから解放される。
【発明を実施するための最良の形態】
【００１２】
次に、本発明に係る組立式箱に関し図１〜図６について説明する。
【００１３】
図１は、組立式箱の一使用例を示し、図中符号１０は組立式箱、符号１１は組立式箱１０の上部に嵌り合う蓋箱である。
【００１４】
この組立式箱１０は、図２に示すように、多角形の底板１２と、底板１２の周囲を囲む周壁１３とを備え、ボール紙又は段ボール紙等の紙板材を図３に示す展開図の如く打ち抜き，それを折曲加工することにより形成されている。
【００１５】
底板１２は、正六角形、正八角形等の多角形状に形成されている。
【００１６】
底板１２の各辺には、ある一辺を除いてそれぞれ折り目を介して挿入片１４，１４…が一体に形成され、この挿入片１４は、各辺の周方向の一方に偏らせて配置されている。
【００１７】
周壁１３は、折り目を介して周方向に連続した複数の側板１５，１５…をもって構成されている。
【００１８】
各側板１５，１５…は、互いに折り目１６を介して連続した外側板１７，１７…と、外側板１７の上縁に上縁板１８を介して一体に形成された内側板１９，１９…とを備え、内側板１９を上縁板１８の両縁より折り曲げて外側板１７に重ね合わせ貼着するようになっている。
【００１９】
また、一方の端の側板１５には、その端縁に他方の端の側板１５に連結される接着部２０が一体に形成され、接着部２０を側板１５の内縁に挿入して接着させ、両端の側板１５，１５を連結し、筒状の周壁１３を構成する。
【００２０】
各外側板１７，１７…は、矩形平板状に形成され、互いに折り目１６を介して連続して帯状に配置されている。
【００２１】
上縁板１８は、一定幅を有する細長板状に形成され、各上縁板１８，１８間には、多角形の角度に合わせて折曲用切欠２１が形成されている。
【００２２】
内側板１９は、外側板１７と略同形の平板状に形成され、各内側板１９，１９…は折り目２２を介して連続して帯状に配置されている。
【００２３】
また、各内側板１９，１９間には、折り目２２を跨いで折曲用切欠２３が形成されている。
【００２４】
更に、内側板１９，１９間の折り目２２を跨いで内側板１９の下縁と平行な切れ目２４を入れることにより、隣り合う内側板１９，１９間に架け渡された底板支持片２５が形成されている。
【００２５】
この底板支持片２５は、切れ目２４の両端部及び、一方の端部側に折り目２６，２７，２８を入れることにより、図４に示すように、隣り合う側板１５，１５同士を所定の角度で折り曲げた際に、側板１５と平行な枠状をなすように周壁１３内側に突出し、その底板支持片２５と側板１５との間に底板１２の挿入片１４が差し込まれるようになっている。
【００２６】
また、この内側板１９のいずれかと、底板１２の一辺とが連結片２９を介して連結されている。
【００２７】
この連結片２９は、底板支持片２５の幅、即ち内側板１９の底縁から切れ目２４までの距離と略同じ幅に形成され、一方の縁部が内側板１９の底縁に折り目３０を介して連続し、他方の縁部が底板１２の一辺と折り目３１を介して連続し、折り目３０より内側板側に折り曲げられて重ねられ、内側板１９の内面に貼着されるようになっている。
【００２８】
蓋箱１１は、底板１２と略同じ多角形状の天板３２と、天板３２の周囲を囲む周壁３３とをもって構成されている。
【００２９】
次に、この組立式箱１０の組立方法を図５、図６を参照して説明する。
【００３０】
まず、図５（ａ）〜図５（ｂ）に示すように、各外側板１７，１７…を上縁板１８より外側に折り曲げ、内側板１９，１９…に重ね合わせて貼着し、各側板１５，１５…を形成する。
【００３１】
次に、図５（ｂ）〜図５（ｃ）に示すように、連結片２９及び底板１２を折り目３０より内側に折り曲げ、連結片２９を内側板１９に重ね合わせ、貼着する。
【００３２】
そして、図５（ｃ）〜図５（ｄ）に示すように、折り目１６，１６より側板１５，１５を折り畳み、一方の端の側板１５の接着部２０を他方の端の側板１５の内縁部に挿入し、接着部２０を側板１５の内縁部に接着剤等によって貼着し、両端の側板１５，１５間を連結する。
【００３３】
これで一次組立が終了し、組立中間部材が形成され、この状態で、運搬や保管等を行えば、平板状であるので重ねても嵩張らず効率がよい。
【００３４】
次に、図６（ｅ）〜図６（ｆ）に示すように、各側板１５，１５…を平板状に折り畳まれた状態から、隣り合う側板１５，１５を折り目より所定の角度をなすように折り曲げ、多角形筒状の周壁１３を形成する。
【００３５】
このとき、周壁１３の内側に底板支持片２５，２５…が、各側板１５と平行な枠状をなすように突出する。
【００３６】
そして、図６（ｆ）〜図６（ｇ）に示すように、底板１２を折り目３１より筒底側に折り曲げて、底板１２の下面を各底板支持片２５，２５…に支持させるとともに、各辺の挿入片１４，１４…を底板支持片２５と側板１５との間に挿入して係止させ、組立式箱１０の組立てが完了する。
【００３７】
尚、上述の実施例では、正八角形状のものについて説明したが、四角形、五角形、六角形、その他の多角形状であってもよい。
【００３８】
また、上述の実施例では、外側板の上縁に上縁板を介して内側板が連続した例について説明したが、上縁板を介さず内側板が折り目を介して直接外側板と連続するようにしてもよい。
【図面の簡単な説明】
【００３９】
【図１】本発明に係る組立式箱の使用態様の一例を示す斜視図である。
【図２】（ａ）は同上の組立式箱を示す平面図、（ｂ）は同正面図、（ｃ）は同底面図である。
【図３】同上の組立式箱の展開図である。
【図４】同上の組立式箱の下側から見た部分破断斜視図である。
【図５】同上の組立式箱の中間組立工程を示す斜視図である。
【図６】同上の組立式箱の製箱工程を示す斜視図である。
【符号の説明】
【００４０】
１０  組立式箱
１１  蓋箱
１２  底板
１３  周壁
１４  挿入片
１５  側板
１６  折り目
１７  外側板
１８  上縁板
１９  内側板
２０  接着部
２１  折曲用切欠
２２  折り目
２３  折曲用切欠
２４  切れ目
２５  底板支持片
２６，２７，２８  折り目
２９  連結片
３０，３１  折り目
３２  天板
３３  周壁
【図１】
2005313903.tif 000003
【図２】
2005313903.tif 000004
【図３】
2005313903.tif 000005
【図４】
2005313903.tif 000006
【図５】
2005313903.tif 000007
【図６】
2005313903.tif 000008